(57)【要約】  【課題】  駆動信号を微調整するための補正値の書込みが成功したか否かを容易に確認することができる半導体集積回路等を提供する。  【解決手段】  ＬＣＤドライバＬＳＩ１の補正値格納時において、コントロール回路１３は、レジスタ１５に、外部から供給される補正値を保持させ、不揮発性メモリ１６に、レジスタ１５に保持されている補正値を格納させる。比較回路１７は、レジスタ１５に保持されている値と不揮発性メモリ１６に格納されている値とを比較し、判定結果信号をコントロール回路１３に供給する。コントロール回路１３は、判定結果信号に従って、不揮発性メモリ１６への補正値の書込みが成功したこと又は失敗したことをＬＣＤパネルに表示させるための駆動信号のＬＣＤパネルへの供給を、ＬＣＤパネル駆動電圧出力ドライバ２０に行わせる。【選択図】  図１
2007102064.tif 000002
【特許請求の範囲】
【請求項１】
表示装置に画像を表示させるための駆動信号を前記表示装置に供給するための半導体集積回路であって、
前記駆動信号を微調整するための補正値を格納するための不揮発性メモリを具備し、外部の補正値供給装置から供給された補正値の前記不揮発性メモリへの書込みが成功したか否かを外部に通知する、半導体集積回路。
【請求項２】
前記不揮発性メモリへの補正値の書込みが成功したか否かを表す画像を前記表示装置に表示させるための前記駆動信号を前記表示装置に供給する、請求項１記載の半導体集積回路。
【請求項３】
前記表示装置を点滅させるための前記駆動信号を前記表示装置に供給する、請求項２記載の半導体集積回路。
【請求項４】
前記不揮発性メモリへの補正値の書込みが成功したか否かを表す信号を前記補正値供給装置に供給する、請求項１記載の半導体集積回路。
【請求項５】
前記不揮発性メモリへの補正値の書込みが成功したか否かを表す信号を、前記補正値供給装置からの要求を必要とすることなく、前記補正値供給装置に供給する、請求項４記載の半導体集積回路。
【請求項６】
前記不揮発性メモリへの補正値の書込みが成功したか否かを表す信号を、前記補正値供給装置との間の未使用配線を用いて前記補正値供給装置に供給する、請求項４又は５記載の半導体集積回路。
【請求項７】
前記不揮発性メモリへの補正値の書込みが成功したか否かを表す信号を、前記補正値供給装置との間のデータバスの最上位ビットの配線を用いて前記補正値供給装置に供給する、請求項６記載の半導体集積回路。
【請求項８】
前記不揮発性メモリに格納されている補正値を用いて前記駆動信号の電圧レベルを微調整することにより前記表示装置に表示される画像のコントラストを微調整する、請求項１〜７のいずれか１項に記載の半導体集積回路。
【請求項９】
前記駆動信号を生成して前記表示装置に出力するための駆動信号出力ドライバと、
前記補正値供給装置から供給される補正値を保持するためのレジスタと、
前記レジスタに保持されている補正値と前記不揮発性メモリに格納されている補正値とを比較することにより、前記不揮発性メモリへの補正値の書込みが成功したか否かを検出するための比較回路と、
前記比較回路の検出結果に応じて、前記不揮発性メモリへの補正値の書込みが成功したか否かを表す画像を前記表示装置に表示させるための前記駆動信号の生成を行うように前記駆動信号出力ドライバを制御するための制御回路と、
を更に具備する、請求項１〜３のいずれか１項に記載の半導体集積回路。
【請求項１０】
表示装置と、
前記表示装置に画像を表示させるための駆動信号を前記表示装置に供給するための請求項１〜９のいずれか１項に記載の半導体集積回路と、
を具備する、表示モジュール。
【請求項１１】
請求項１０記載の表示モジュールを具備する電子機器。
【請求項１２】
携帯電話装置であることを特徴とする、請求項１１記載の電子機器。
【発明の詳細な説明】
【技術分野】
【０００１】
本発明は、画像を表示させるための駆動信号を表示装置に供給するための半導体集積回路に関する。また、本発明は、そのような半導体集積回路を具備する表示モジュール及び電子機器に関する。
【背景技術】
【０００２】
近年、携帯電話装置等の電子機器において、ＬＣＤ（liquid crystal display）パネル等の表示装置が広く用いられている。ＬＣＤパネルは、ＬＣＤドライバＬＳＩから駆動信号の供給を受けて画像を表示する。現在では、ＬＣＤドライバＬＳＩがＬＣＤパネルのガラス基板上にＣＯＧ（chip on glass）実装され、ＬＣＤパネル及びＬＣＤドライバＬＳＩがＬＣＤモジュールとして電子機器メーカに出荷される場合が多くなってきている。
【０００３】
ＬＣＤパネルには、種々の条件により、コントラスト等のばらつきが生じる場合があり、このようなばらつきを是正するために、ＬＣＤドライバＬＳＩにおいて駆動信号を微調整する必要がある。そこで、駆動信号を微調整するための補正値を格納するための不揮発性メモリをＬＣＤドライバＬＳＩに内蔵することが行われている（例えば、下記特許文献１〜３参照）。
【０００４】
【特許文献１】特開２００２−２８７７０３号公報（第１頁、図１）
【特許文献２】特開２００３−２８０６１５号公報（第１頁、図１）
【特許文献３】特開２００５−４２０３号公報（第１頁、図１）
【０００５】
一般に、ＬＣＤドライバＬＳＩ内の不揮発性メモリへの補正値の書込みは、ＬＣＤドライバＬＳＩがＬＣＤパネルにＣＯＧ実装されたＬＣＤモジュールに対して行われる。図２は、ＬＣＤモジュールへの補正値の書込みの様子を示す図である。
【０００６】
図２に示すように、ＬＣＤモジュール３０は、ＬＣＤパネル３１と、ＬＣＤパネル３１のガラス基板上にＣＯＧ実装されたＬＣＤドライバＬＳＩ３２と、ＬＣＤパネル３１のガラス基板上に圧着されたフィルム基板３３とを具備する。
【０００７】
ＬＣＤモジュール３０への補正値の書込み時において、補正値書込装置４０がケーブルＣを介してフィルム基板３３に接続される。そして、補正値が、補正値書込装置４０からＬＣＤドライバＬＳＩ３２に供給され、ＬＣＤドライバＬＳＩ３２内の不揮発性メモリに書き込まれる。
【０００８】
ところで、従来、不揮発性メモリへの補正値の書込みが成功したか否かは、（１）不揮発性メモリへの補正値の書込みの後、補正値を用いて微調整されたＬＣＤパネルのコントラストを作業者が目視したり、（２）不揮発性メモリへの補正値の書込みの後、補正値書込装置４０が不揮発性メモリに格納されている補正値を読み出すことにより、確認されていた。しかしながら、上記（１）では、人的ミス（作業者の確認忘れ、見逃し）が生じ、補正値の書込み不良品が市場に流出ずるおそれがあった。また、上記（２）では、補正値書込装置４０がＬＣＤドライバＬＳＩ３２内の不揮発性メモリから補正値を読み出すための読出しコマンドが必要であり、補正値書込装置４０の回路や動作（アルゴリズム）が複雑となっていた。
【発明の開示】
【発明が解決しようとする課題】
【０００９】
そこで、上記の点に鑑み、本発明は、補正値の書込みが成功したか否かを容易に確認することができる半導体集積回路を提供することを目的とする。また、本発明は、そのような表示モジュール及び電子機器を提供することを更なる目的とする。
【課題を解決するための手段】
【００１０】
以上の課題を解決するため、本発明に係る半導体集積回路は、表示装置に画像を表示させるための駆動信号を表示装置に供給するための半導体集積回路であって、駆動信号を微調整するための補正値を格納するための不揮発性メモリを具備し、外部の補正値供給装置から供給された補正値の不揮発性メモリへの書込みが成功したか否かを外部に通知する。
【００１１】
この半導体集積回路において、不揮発性メモリへの補正値の書込みが成功したか否かを表す画像を表示装置に表示させるための駆動信号を表示装置に供給するようにしても良い。また、表示装置を点滅させるための駆動信号を表示装置に供給するようにしても良い。
【００１２】
また、不揮発性メモリへの補正値の書込みが成功したか否かを表す信号を補正値供給装置に供給するようにしても良い。また、不揮発性メモリへの補正値の書込みが成功したか否かを表す信号を、補正値供給装置からの要求を必要とすることなく、補正値供給装置に供給するようにしても良い。また、不揮発性メモリへの補正値の書込みが成功したか否かを表す信号を、補正値供給装置との間の未使用配線を用いて補正値供給装置に供給するようにしても良い。また、不揮発性メモリへの補正値の書込みが成功したか否かを表す信号を、補正値供給装置との間のデータバスの最上位ビットの配線を用いて補正値供給装置に供給するようにしても良い。
【００１３】
また、不揮発性メモリに格納されている補正値を用いて駆動信号の電圧レベルを微調整することにより表示装置に表示される画像のコントラストを微調整するようにしても良い。
【００１４】
また、駆動信号を生成して表示装置に出力するための駆動信号出力ドライバと、補正値供給装置から供給される補正値を保持するためのレジスタと、レジスタに保持されている補正値と不揮発性メモリに格納されている補正値とを比較することにより、不揮発性メモリへの補正値の書込みが成功したか否かを検出するための比較回路と、比較回路の検出結果に応じて、不揮発性メモリへの補正値の書込みが成功したか否かを表す画像を表示装置に表示させるための駆動信号の生成を行うように駆動信号出力ドライバを制御するための制御回路とを更に具備するようにしても良い。
【００１５】
また、本発明に係る表示モジュールは、表示装置と、表示装置に画像を表示させるための駆動信号を表示装置に供給するための本発明に係る半導体集積回路とを具備する。
【００１６】
また、本発明に係る電子機器は、本発明に係る表示モジュールを具備する。
【００１７】
この電子機器が、携帯電話装置であっても良い。
【発明を実施するための最良の形態】
【００１８】
以下、図面を参照しながら、本発明の実施の形態について説明する。
図１は、本発明の一実施形態に係るＬＣＤ（liquid crystal display）ドライバＬＳＩの概要を示す図である。本実施形態は、本発明をＬＣＤドライバＬＳＩに適用したものである。このＬＣＤドライバＬＳＩをＬＣＤパネルのガラス基板上にＣＯＧ（chip on glass）実装することにより、ＬＣＤモジュールを構成するようにしても良い。また、ＬＣＤモジュールは、携帯電話装置等の各種の電子機器に搭載可能である。
【００１９】
図１に示すように、このＬＣＤドライバＬＳＩ１は、インタフェース回路１１と、コマンドデコーダ１２と、コントロール回路１３と、データ選択回路１４と、レジスタ１５と、不揮発性メモリ１６と、比較回路１７と、演算回路１８と、電源回路１９と、ＬＣＤパネル駆動電圧出力ドライバ２０とを具備する。
【００２０】
先に説明したように、ＬＣＤパネルには、コントラスト等のばらつきが生じる場合がある。このようなばらつきを是正するために、ＬＣＤドライバＬＳＩ１は、ＬＣＤパネルに供給する駆動信号を微調整するための補正値を格納するための不揮発性メモリ１６を具備している。例えば、ＬＣＤパネルのコントラストのばらつきは、駆動信号の電圧レベルを微調整することにより、是正可能である。
【００２１】
インタフェース回路１１は、外部回路（不揮発性メモリへの補正値の書込み時においては補正値書込装置、携帯電話装置等の電子機器への搭載後においてはＣＰＵ等）との間の信号、データ（画像データ、補正値等）の送受信を行う。
【００２２】
コマンドデコーダ１２は、外部回路からの制御信号（コマンド）をデコードし、コントロール回路１３は、コマンドデコーダ１２によるデコード結果に応じて、第１〜第６制御信号をＬＣＤドライバＬＳＩ１内の各部に供給し、ＬＣＤドライバＬＳＩ１の制御を行う。
【００２３】
データ選択回路１４は、第５制御信号に従って、外部回路からの入力データ、不揮発性メモリ１６からの読出しデータのいずれかを選択して、レジスタ１５に供給する。
レジスタ１５は、第４制御信号に従って、データ選択回路１４から供給されるデータを保持する。
【００２４】
不揮発性メモリ１６は、ＬＣＤパネルの駆動信号を微調整するための補正値を格納するための回路であり、第６制御信号に従って、レジスタ１５に保持されているデータを補正値として格納する。また、不揮発性メモリ１６は、第６制御信号に従って、格納しているデータをデータ選択回路１４及び比較回路１７に供給する。
【００２５】
比較回路１７は、レジスタ１５に保持されているデータと不揮発性メモリ１７に格納されているデータとを比較し、判定結果（比較結果）信号をコントロール回路１３及び／又は外部に供給する。
【００２６】
演算回路１８は、第３制御信号に従って、レジスタ１５に保持されているデータ（補正値）に所定の演算を施して電源回路１９の出力電源電圧を補正するための電源回路補正値を算出し、電源回路１９に供給する。
【００２７】
電源回路１９は、第２制御信号に従って、演算回路１８からの電源回路補正値に基づく電源電圧をＬＣＤパネル駆動電圧出力ドライバ２０に供給する。
ＬＣＤパネル駆動電圧出力ドライバ２０は、第１制御信号に従って、電源回路１９から供給される電源電圧に応じた電圧レベルを有する駆動信号をＬＣＤパネルに供給する。
【００２８】
次に、ＬＣＤドライバＬＳＩ１の補正値格納動作について説明する。ＬＣＤドライバＬＳＩ１の補正値格納動作は、ＬＣＤドライバＬＳＩ１をＬＣＤパネルに実装したＬＣＤモジュールに対して行われるようにしても良い。この場合、ＬＣＤモジュールには、補正値書込装置が接続される（図２参照）。
【００２９】
ＬＣＤドライバＬＳＩ１の補正値格納時において、補正値書込みコマンドが補正値書込装置から供給される。補正値書込みコマンドは、インタフェース回路１１を介してコマンドデコーダ１２に送られ、コマンドデコーダ１２によってデコードされる。コントロール回路１３は、コマンドデコーダ１２のデコード結果に従って、各部を動作させる。
【００３０】
具体的には、まず、コントロール回路１３は、データ選択回路１４に、インタフェース回路１１を介して補正値書込装置から供給されるデータ（補正値）を選択させ、レジスタ１５に、データ選択回路１４によって選択された補正値を保持させる。次に、コントロール回路１３は、不揮発性メモリ１６に、レジスタ１５に保持されている補正値を格納させる。
【００３１】
そして、比較回路１７が、レジスタ１５に保持されている補正値と不揮発性メモリ１６に格納されている補正値とを比較し、判定結果信号をコントロール回路１３に供給する。不揮発性メモリ１６への補正値の書込みが成功した場合には、レジスタ１５に保持されている補正値と不揮発性メモリ１６に格納されている補正値とは一致するが、不揮発性メモリ１６への補正値の書込みが失敗した場合には、レジスタ１５に保持されている補正値と不揮発性メモリ１６に格納されている補正値とは一致しない。
【００３２】
コントロール回路１３は、比較回路１７の判定結果信号に従って、不揮発性メモリ１６への補正値の書込みが成功したこと又は失敗したことをＬＣＤパネルに表示させるための駆動信号のＬＣＤパネルへの供給を、ＬＣＤパネル駆動電圧出力ドライバ２０に行わせる。例えば、不揮発性メモリ１６への補正値の書込みの成功した場合又は失敗した場合に、ＬＣＤパネルを点滅させるようにしても良い。
【００３３】
これにより、補正値書込み作業者は、不揮発性メモリ１６への補正値の書込みが成功したこと又は失敗したことを容易に知ることができ、人的ミス（作業者の確認忘れ、見逃し）を防止することができる。また、補正値書込装置が、不揮発性メモリ１６への補正値の書込みが成功したこと又は失敗したことを読み出すためのコマンドをＬＣＤドライバＬＳＩ１に発行する必要がなく、従って、補正値書込装置の回路や動作が複雑になることがない。
【００３４】
なお、不揮発性メモリ１６への補正値の書込みが成功してＬＣＤモジュールが携帯電話装置等の電子機器に搭載された後は、コントロール回路１３は、データ選択回路１４に、不揮発性メモリ１６に格納されている補正値を選択させる。データ選択回路１４によって選択された補正値は、レジスタ１５を介して演算回路１８に供給され、演算回路１８は、レジスタ１５から供給される補正値に所定の演算を施すことにより電源回路補正値を算出する。電源回路１９は、電源回路補正値に従った電源電圧をＬＣＤパネル駆動電圧出力ドライバ２０に供給し、ＬＣＤパネル駆動電圧出力ドライバ２０は、電源回路１９から供給される電源電圧に応じた電圧レベルを有する駆動信号をＬＣＤパネルに供給する。これにより、不揮発性メモリ１６に格納されている補正値が反映された駆動信号がＬＣＤパネルに供給され、コントラスト等の微調整が実現される。
【００３５】
なお、本実施形態においては、不揮発性メモリ１６への補正値の書込みが成功したこと又は失敗したことをＬＣＤパネルに表示させることとしているが、不揮発性メモリ１６への補正値の書込みが成功したこと又は失敗したことを表す判定結果信号を補正値書込装置に供給するようにしても良い。このとき、判定結果信号を、補正値書込装置との間の配線であって未使用の配線（例えば、外部入出力データバスの最上位ビットの配線等）を介して供給するようにしても良い。この場合も、補正値書込装置が読出しコマンドをＬＣＤドライバＬＳＩ１に発行する必要がなく、補正値書込装置の回路や動作が複雑になることがない。
【００３６】
また、不揮発性メモリ１６に、コントラストを微調整するための補正値のほか、ガンマ補正値、動画像を表示する場合に画像の明るさ等を変更するためのシアターモードを実現するための補正値、昼間と夜間とで画像の明るさ等を変更するための昼／夜モードを実現するための補正値、階調補正値等を格納するようにしても良い。
【００３７】
本実施形態は、本発明をＬＣＤドライバＬＳＩに適用したものであるが、本発明を他の表示装置を駆動する回路に適用することができる。例えば、本発明を、有機ＥＬ（electroluminescence）パネルを駆動するドライバＬＳＩに適用することができる。
【産業上の利用可能性】
【００３８】
本発明は、画像を表示させるための駆動信号を表示装置に供給するための半導体集積回路において利用可能である。この半導体集積回路は、表示モジュールに実装可能であり、表示モジュールは、携帯電話装置等の電子機器に搭載可能である。
【図面の簡単な説明】
【００３９】
【図１】本発明の一実施形態に係るＬＣＤドライバＬＳＩの概要を示す図。
【図２】従来のＬＣＤドライバＬＳＩへの補正値の書込みの様子を示す図。
【符号の説明】
【００４０】
１  ＬＣＤドライバＬＳＩ、  １１  インタフェース回路、  １２  コマンドデコーダ、  １３  コントロール回路、  １４  データ選択回路、  １５  レジスタ、  １６  不揮発性メモリ、  １７  比較回路、  １８  演算回路、  １９  電源回路、  ２０  ＬＣＤパネル駆動電圧出力ドライバ、  ３０  ＬＣＤモジュール、  ３１  ＬＣＤパネル、  ３３  フィルム基板、  ４０  補正値書込装置、  Ｃ  ケーブル
【図１】
2007102064.tif 000003
【図２】
2007102064.tif 000004